(57)【要約】【課題】この発明は、起動操作が行なわれてから通常の出画が始まるまでの間、静止画または動画を画面に表示させることにより、起動操作が機器に伝達されていることをユーザに認識させることができる放送受信装置及びその制御方法を提供することを目的としている。【解決手段】受信機能に対応するアプリケーションに基づいて映像信号を生成する制御手段１２が、電源投入時に予め設定された映像信号を出力させ、この予め設定された映像信号の出力状態でアプリケーションを起動させ、該アプリケーションの起動に基づいて放送信号から映像信号が生成された状態で、該映像信号を予め設定された映像信号に代えて出力させるようにしている。【選択図】      図１
2007104083.tif 000002
【特許請求の範囲】
【請求項１】
放送信号を受信する受信手段と、
前記受信手段で受信された放送信号に対して、受信機能に対応するアプリケーションに基づいて映像信号を生成する制御手段と、
前記制御手段で生成された映像信号を出力する出力手段とを具備し、
前記制御手段は、
電源投入時に、予め設定された映像信号を前記出力手段に出力させ、
前記予め設定された映像信号の出力状態で前記アプリケーションを起動させ、
該アプリケーションの起動に基づいて前記放送信号から映像信号が生成された状態で、該映像信号を前記予め設定された映像信号に代えて前記出力手段に出力させることを特徴とする放送受信装置。
【請求項２】
前記制御手段が前記予め設定された映像信号を前記出力手段に出力させる際に設定された情報は、前記アプリケーションが前記放送信号から生成する映像信号を前記出力手段に出力させる処理に引き継がれることを特徴とする請求項１記載の放送受信装置。
【請求項３】
電源遮断時における前記出力手段への電力供給の停止処理を前記制御手段に代えて制御する、待機用電源で駆動される副制御手段を備えることを特徴とする請求項１記載の放送受信装置。
【請求項４】
放送信号を受信する受信手段と、
前記受信手段で受信された放送信号に対して、受信機能に対応するアプリケーションに基づいて映像信号を生成する制御手段と、
前記制御手段で生成された映像信号を出力する出力手段とを備えた放送受信装置を制御する制御方法であって、
前記制御手段が、
電源投入時に、予め設定された映像信号を前記出力手段に出力させる第１の工程と、
前記第１の工程による予め設定された映像信号の出力状態で、前記アプリケーションを起動する第２の工程と、
前記第２の工程によるアプリケーションの起動に基づいて前記放送信号から映像信号が生成された状態で、該映像信号を前記予め設定された映像信号に代えて前記出力手段に出力させる第３の工程とを行なうことを特徴とする放送受信装置の制御方法。
【請求項５】
放送信号を受信する受信手段と、
前記受信手段で受信された放送信号に対して、受信機能に対応するメインアプリケーションに基づいて映像信号を生成する制御手段と、
前記制御手段で生成された映像信号を出力する出力手段とを具備し、
前記制御手段は、
電源投入時に、簡易アプリケーションに基づいて前記受信手段で受信された放送信号から映像信号を生成して前記出力手段に出力させ、
前記簡易アプリケーションに基づいて生成された映像信号の出力状態で前記メインアプリケーションを起動させ、
該メインアプリケーションの起動に基づいて前記放送信号から映像信号が生成された状態で、該映像信号を前記簡易アプリケーションに基づいて生成された映像信号に代えて前記出力手段に出力させることを特徴とする放送受信装置。
【請求項６】
前記制御手段が前記簡易アプリケーションに基づいて生成された映像信号を前記出力手段に出力させる際に設定された情報は、前記メインアプリケーションが前記放送信号から生成する映像信号を前記出力手段に出力させる処理に引き継がれることを特徴とする請求項５記載の放送受信装置。
【請求項７】
放送信号を受信する受信手段と、
前記受信手段で受信された放送信号から、それぞれが所定のチャンネルを選局して映像信号を生成する複数の選局手段と、
前記複数の選局手段で生成された映像信号を選択的に出力する選択手段と、
前記選択手段によって選択された映像信号を出力する出力手段と、
前記出力手段で出力された映像信号を出力している前記選局手段以外の選局手段によって、前記出力手段で出力された映像信号に対応するチャンネル以外のチャンネルを選局させる制御手段とを具備し、
チャンネルが切り替えられたとき、この切り替えられたチャンネルを選局している選局手段からの映像信号が、前記選択手段で選択されて前記出力手段で出力されるようにしたことを特徴とする放送受信装置。
【請求項８】
前記制御手段は、前記出力手段で出力された映像信号を出力している前記選局手段以外の選局手段によって、前記出力手段で出力された映像信号に対応するチャンネルの１つ前のチャンネルまたは次のチャンネルを選局させることを特徴とする請求項７記載の放送受信装置。
【請求項９】
前記制御手段は、前記出力手段で出力された映像信号を出力している前記選局手段以外の選局手段によって、前記出力手段で出力された映像信号に対応するチャンネル以外の複数のチャンネルを循環的に選局させることを特徴とする請求項７記載の放送受信装置。
【発明の詳細な説明】
【技術分野】
【０００１】
この発明は、内蔵ＭＰＵ（micro processor unit）がソフトウェアによりデコーダを制御してデジタル放送の受信機能を実現する放送受信装置及びその制御方法に関する。
【背景技術】
【０００２】
周知のように、首記の如きデジタル放送受信機は、電源投入されると、ＭＰＵが受信機能を司るアプリケーションを起動して番組情報を取得し、この取得した番組情報にデコード処理を施して表示パネルに表示するため、アプリケーションが起動されてから出画が行なわれるまでに長い時間を要している。
【０００３】
また、アプリケーションがＯＳ（operating system）を使用している場合には、ＯＳの起動時間も必要となる。さらに、アプリケーションがＲＡＭ（random access memory）で動作する場合には、アプリケーションプログラムのＲＯＭ（read only memory）からＲＡＭへの展開時間も追加されることになる。
【０００４】
特許文献１には、新たなデータ画面の表示処理に時間がかかった場合でも、例えばＬＥＤ（light emitting diode）を点灯させるような視覚的に認識させる報知機能によって、データ放送受信機が正常動作を行なっていることをユーザに認識させるデータ放送受信機の構成が開示されている。
【特許文献１】特開２００２−３６８６３４公報
【発明の開示】
【発明が解決しようとする課題】
【０００５】
そこで、この発明は上記事情を考慮してなされたもので、起動操作が行なわれてから出画が始まるまでの間、予め用意された静止画または動画を画面に表示させることにより、起動操作が機器に伝達されていることをユーザに認識させることができる放送受信装置及びその制御方法を提供することを目的とする。
【課題を解決するための手段】
【０００６】
この発明に係る放送受信装置は、放送信号を受信する受信手段と、受信手段で受信された放送信号に対して、受信機能に対応するアプリケーションに基づいて映像信号を生成する制御手段と、制御手段で生成された映像信号を出力する出力手段とを備え、制御手段は、電源投入時に、予め設定された映像信号を出力手段に出力させ、予め設定された映像信号の出力状態でアプリケーションを起動させ、該アプリケーションの起動に基づいて放送信号から映像信号が生成された状態で、該映像信号を予め設定された映像信号に代えて出力手段に出力させるようにしたものである。
【０００７】
また、この発明に係る放送受信装置の制御方法は、放送信号を受信する受信手段と、受信手段で受信された放送信号に対して、受信機能に対応するアプリケーションに基づいて映像信号を生成する制御手段と、制御手段で生成された映像信号を出力する出力手段とを備えた放送受信装置を制御する方法を対象としている。そして、制御手段が、電源投入時に、予め設定された映像信号を出力手段に出力させる第１の工程と、第１の工程による予め設定された映像信号の出力状態で、アプリケーションを起動する第２の工程と、第２の工程によるアプリケーションの起動に基づいて放送信号から映像信号が生成された状態で、該映像信号を予め設定された映像信号に代えて出力手段に出力させる第３の工程とを行なうようにしたものである。
【発明の効果】
【０００８】
上記した発明によれば、受信機能に対応するアプリケーションに基づいて映像信号を生成する制御手段が、電源投入時に予め設定された映像信号を出力させ、この予め設定された映像信号の出力状態でアプリケーションを起動させ、該アプリケーションの起動に基づいて放送信号から映像信号が生成された状態で、該映像信号を予め設定された映像信号に代えて出力させるようにしている。このため、電源投入されてから出画されるまでの時間が短縮され、起動操作が機器に伝達されていることをユーザに認識させることができるようになる。
【発明を実施するための最良の形態】
【０００９】
以下、この発明の実施の形態について図面を参照して詳細に説明する。図１は、この実施の形態で説明するデジタル放送受信機の映像処理系の概略を示している。すなわち、受信されたデジタル放送信号は、システムＬＳＩ（large scale integration）１１を介してメインＭＰＵ１２に供給される。
【００１０】
このシステムＬＳＩ１１は、デジタル放送受信機の電源投入状態で、後述する制御マイクロコンピュータ１６の制御に基づいて、電源の投入及び遮断が行なわれるようになっている。そして、このシステムＬＳＩ１１のメインＭＰＵ１２は、受信機能を司るメインアプリケーションに基づいて、入力されたデジタル放送信号から映像信号及び同期信号を生成する。
【００１１】
具体的に言えば、メインＭＰＵ１２は、入力されたデジタル放送信号から、ＮＩＴ（network information table）、ＰＡＴ（program association table）、ＰＭＴ（program map table）及びＰＩＤ（packet identification）等を取得し、これらの取得した情報に基づいて映像ストリームをデコード処理して映像信号及び同期信号を得ている。なお、このようなデコード処理は、メインＭＰＵ１２によるソフトウェアデコードに限らず、デコーダをメインＭＰＵ１２が制御することによって実現することも可能である。
【００１２】
そして、このメインＭＰＵ１２で生成された映像信号及び同期信号は、システムＬＳＩ１１を構成するパネル制御部１３を介して表示パネル１４に供給され、映像表示に供される。また、上記メインＭＰＵ１１は、表示パネル１４に対して、例えばバックライトのオンオフ等を制御する制御信号を生成してセレクタ１５に出力している。
【００１３】
一方、上記メインＭＰＵ１２は、システムＬＳＩ１１の外部に設けられた上記制御マイクロコンピュータ１６に接続されている。この制御マイクロコンピュータ１６は、デジタル放送受信機の電源投入状態で常時電力供給が行なわれる。つまり、制御マイクロコンピュータ１６は、システムＬＳＩ１１の電源に無関係に駆動可能になっている。
【００１４】
そして、この制御マイクロコンピュータ１６も、表示パネル１４に対して、バックライトのオンオフを制御する制御信号を生成してセレクタ１５に出力している。このセレクタ１５は、メインＭＰＵ１２及び制御マイクロコンピュータ１６から出力された制御信号を選択的に表示パネル１４に供給するように機能する。
【００１５】
ここで、システムＬＳＩ１１には、メインＭＰＵ１２が実行する各種のアプリケーションプログラムを格納したＲＯＭ１７と、該メインＭＰＵ１２に作業エリアを提供するためのＲＡＭ１８と、各種の設定情報及び制御情報等が格納される不揮発性メモリ１９とが接続されている。
【００１６】
図２は、上記したデジタル放送受信機の電源投入時と遮断時との動作を説明している。図２（ａ）は表示パネル１４に供給されるパネル電源を示し、図２（ｂ）は表示パネル１４に供給される制御信号を示し、図２（ｃ）は表示パネル１４に供給される映像信号及び同期信号を示している。
【００１７】
すなわち、デジタル放送受信機に電源投入され、制御マイクロコンピュータ１６の制御に基づいてシステムＬＳＩ１１に電源が投入されると、システムＬＳＩ１１は、表示パネル１４への電力供給を開始し、この後、表示パネル１４への映像出力を開始する。このとき、表示パネル１４に出力される映像信号は、予め不揮発性メモリ１９に格納された静止画（または動画）に対応する信号である。
【００１８】
次に、システムＬＳＩ１１は、表示パネル１４にバックライトを点灯させる制御信号を出力し、ここに、上記した静止画（または動画）が表示パネル１４に表示されるようになる。つまり、システムＬＳＩ１１は、電源の投入時に、受信機能を司るメインアプリケーションの起動に先立って、予め用意された静止画（または動画）を表示させる制御を実行する。
【００１９】
この後、システムＬＳＩ１１は、受信機能を司るメインアプリケーションを起動する。この場合、ＯＳが存在する場合には、ＯＳの起動も行なっている。そして、システムＬＳＩ１１からメインアプリケーションによって生成された映像信号が出力されるようになると、この映像信号が先の静止画（または動画）に代えて表示パネル１４に表示されるようになる。
【００２０】
一方、デジタル放送受信機への電源供給が遮断されると、システムＬＳＩ１１に代えて制御マイクロコンピュータ１６によって制御が行なわれるようになる。すなわち、制御マイクロコンピュータ１６は、表示パネル１４のバックライトを消灯させる制御信号を出力し、この後、システムＬＳＩ１１への電力供給を停止させて、映像出力を停止させる。そして、制御マイクロコンピュータ１６は、表示パネル１４への電力供給を停止させる。
【００２１】
図３は、デジタル放送受信機に電源投入され、制御マイクロコンピュータ１６の制御に基づいてシステムＬＳＩ１１に電源が投入されたときの上記した処理動作をまとめたフローチャートを示している。すなわち、処理動作が開始（ステップＳ１）され、ステップＳ２で、電源が投入されると、システムＬＳＩ１１は、ステップＳ３で、予め用意された静止画（または動画）を表示させる。
【００２２】
この後、システムＬＳＩ１１は、ステップＳ４で、受信機能を司るメインアプリケーションを起動し（ＯＳが存在する場合にはＯＳの起動も行なう）、ステップＳ５で、デジタル放送信号から生成した映像信号を、先の静止画（または動画）に代えて表示パネル１４に表示させて、処理を終了（ステップＳ６）する。
【００２３】
図４は、デジタル放送受信機への電源供給が遮断されたときの上記した処理動作をまとめたフローチャートを示している。すなわち、処理動作が開始（ステップＳ７）されると、制御マイクロコンピュータ１６は、ステップＳ８で、電源供給が遮断されたか否かを判別する。そして、電源が遮断されたと判断された場合（ＹＥＳ）、制御マイクロコンピュータ１６は、ステップＳ９で、表示パネル１４のバックライトを消灯させる。
【００２４】
この後、制御マイクロコンピュータ１６は、ステップＳ１０で、システムＬＳＩ１１への電力供給を停止させて、映像出力を停止させる。そして、制御マイクロコンピュータ１６は、ステップＳ１１で、表示パネル１４への電力供給を停止させて、処理を終了（ステップＳ１２）する。
【００２５】
上記した構成によれば、デジタル放送受信機に電源投入され、制御マイクロコンピュータ１６の制御に基づいてシステムＬＳＩ１１に電源が投入されたとき、システムＬＳＩ１１は、まず予め用意された静止画（または動画）を表示させ、この後、受信機能を司るメインアプリケーションを起動してデジタル放送信号から映像信号を生成するようにしている。このため、電源投入されてから出画されるまでの時間が短縮され、起動操作がデジタル放送受信機に伝達されていることを、ユーザに容易に認識させることができるようになる。
【００２６】
また、デジタル放送受信機への電源供給が遮断されたときには、制御マイクロコンピュータ１６により、処理動作、つまり、パワーオフシーケンスが制御されるようにしている。すなわち、デジタル放送受信機への電源供給遮断時には、システムＬＳＩ１１及び制御マイクロコンピュータ１６共に電力供給が停止され、図示しないコンデンサにチャージされている電力だけで動作することになる。このため、システムＬＳＩ１１を動作させてパワーオフシーケンスを実行するのは電気回路的に困難になるので、消費電力の低い制御マイクロコンピュータ１６でパワーオフシーケンスを実行させるようにしている。
【００２７】
ここで、図５（ａ）は、起動シーケンスにおけるブートプログラムが格納された状態の上記不揮発性メモリ１９のメモリマップを示している。すなわち、起動プログラムが格納されるとともに、フレームバッファに静止画の信号が格納され、パラメータに表示パネル１４の画格情報等が格納されている。
【００２８】
また、図５（ｂ）は、メインＭＰＵ１２が、受信機能を司るメインアプリケーションを起動している状態における不揮発性メモリ１９のメモリマップを示している。すなわち、システム領域が形成されるとともに、メインアプリケーションソフト＋ＯＳが格納されている。
【００２９】
ここで、ブートプログラムからメインアプリケーションに移る際には、メインアプリケーションがフレームバッファとパラメータとを引き継ぐように制御される。つまり、メインアプリケーションが起動シーケンスで設定された情報をシームレスに引き継ぐことにより、出画制御がブートプログラムからメインアプリケーションに引き継がれても、表示画像を乱れることなく切り替えることが可能となる。
【００３０】
引き継ぐ内容としては、例えば同期に関する設定情報、表示用の図示しないバッファの記録位置等、表示パネル１４への映像信号の出力を維持するのに必要な各種情報がある。なお、情報を引き継がない場合には、静止画を一旦ミュートしてから、メインアプリケーションによって生成された映像信号が表示パネル１４に表示されるように制御される。
【００３１】
以上は、起動時に動画が出るまでの時間をリカバリーする目的で静止画（または動画）を表示させることについて説明したが、放送信号から得られる動画の表示を早めることも可能である。通常は、デジタル放送受信機に電源が投入される（パワーオンされる）と、図６（ａ）〜（ｃ）に示すように起動されて出画が行なわれる。
【００３２】
図６（ａ）では、メインアプリケーション＋ＯＳが不揮発性メモリ１９にロードされた後、ＯＳが起動され、メインアプリケーションが起動されて出画が行なわれる。また、図６（ｂ）では、ＯＳが不揮発性メモリ１９にロードされ起動された後、メインアプリケーションが不揮発性メモリ１９にロードされ起動されることにより出画が行なわれる。さらに、図６（ｃ）では、ブートプログラムが起動された後、ＯＳが起動され、メインアプリケーションが起動されることにより出画が行なわれる。
【００３３】
これに対し、図６（ｄ）に示すように、ブートプログラムを起動させた後、まず、受信機能を司る簡易アプリケーションを起動させて出画させる。この後、ＯＳが起動され、メインアプリケーションが起動されることにより、簡易アプリケーションによる出画からメインアプリケーションによる出画に引き継がれる。
【００３４】
このように、ブートプログラムを起動させた後、受信機能を司る簡易アプリケーションを起動させて出画を行なうことにより、出画タイミングを通常よりも早くすることが可能となる。
【００３５】
この簡易アプリケーションは、不揮発性メモリ１９に予め保持されているチャンネル情報だけで、ＰＩＤを設定してデコード処理を試みるものである。なお、メインアプリケーションでは、選局、ＰＡＴ取得、ＰＭＴ取得、各ＰＩＤ取得、復調処理を行なってデコードを開始している。
【００３６】
簡易アプリケーションにおいて、出画すべき映像を得るためのチャンネル情報は、最後に受信していた番組の各ＰＩＤ、固定のＰＩＤ、外部から指示されたＰＩＤ（例えば不揮発性メモリ１９に記録されているＰＩＤ群の中から起動時に指定されたＰＩＤ等）から得ることができる。
【００３７】
なお、簡易アプリケーションによる受信機能は、メインアプリケーションによる受信機能に対して制限事項を有している。この制限事項としては、例えば、リモートコントローラによる制御（チャンネル変更等）ができない、データ放送の受信機能がないということ等があげられる。
【００３８】
ここで、図７（ａ）は、起動シーケンスにおけるブートプログラムが格納された状態の上記不揮発性メモリ１９のメモリマップを示している。すなわち、システム領域が形成されるとともに、ファームウェア（Firm Ware）、イベントハンドラ、簡易アプリケーション等が格納されている。
【００３９】
このうち、システム領域には、デコードバッファ、ストリームバッファ、システムパラメータ等もマッピングされている。また、簡易アプリケーションで使用するファームウェアも、ブートプログラムで展開される。なお、イベントハンドラは、ファームウェアからのイベントに基づいて、簡易アプリケーションに用意されたモジュールをコールするハンドラである。
【００４０】
また、図７（ｂ）は、メインＭＰＵ１２が、受信機能を司るメインアプリケーションを起動している状態における不揮発性メモリ１９のメモリマップを示している。すなわち、システム領域が形成されるとともに、ファームウェア、イベントハンドラ、データ領域、メインアプリケーション＋ＯＳ等が格納されている。
【００４１】
ここで、ブートプログラムからメインアプリケーションに移る際には、メインアプリケーションがシステム領域、ファームウェアを引き継ぎ、出画制御がブートプログラムからメインアプリケーションに引き継がれても、表示画像を乱れることなく切り替えることが可能となる。
【００４２】
動画処理は、基本的にファームウェア（ファームウェアコード＋ミドルウェアとしても良い）が制御を行ない、ファームウェアからのイベントを（簡易及びメイン）アプリケーションが受けて判断し、ファームウェアに対する指示を行なっている。メインアプリケーションは、イベントハンドラがコールするアプリケーションの関数を変更することで、簡易アプリケーションから制御を引き継いでいる。
【００４３】
図８は、デジタル放送受信機に電源投入され、制御マイクロコンピュータ１６の制御に基づいてシステムＬＳＩ１１に電源が投入されたときの図６（ｄ）に示した処理動作をまとめたフローチャートを示している。
【００４４】
すなわち、処理動作が開始（ステップＳ１３）され、ステップＳ１４で、電源が投入されると、システムＬＳＩ１１は、ステップＳ１５で、簡易アプリケーションに基づいた動画を表示させる。
【００４５】
この後、システムＬＳＩ１１は、ステップＳ１６で、受信機能を司るメインアプリケーションを起動し（ＯＳが存在する場合にはＯＳの起動も行なう）、ステップＳ１７で、メインアプリケーションに基づいてデジタル放送信号から生成した映像信号を、先の動画に代えて表示パネル１４に表示させて、処理を終了（ステップＳ１８）する。
【００４６】
以上に、電源が投入されてから出画が行なわれるまでの時間をリカバリーすることについて述べたが、出画に時間を要するのは起動時だけでなく、チャンネル切り替え時も同様である。以下に、チャンネル切り替え時の出画を高速化することについて説明する。
【００４７】
すなわち、前記したシステムＬＳＩ１１が、図９に示すように、３系統のチューナ・復調部２０ａ〜２０ｃ、ＴＳ（transport stream）デマルチプレクサ部２１ａ〜２１ｃ、ＡＶ（audio video）デコーダ部２２ａ〜２２ｃを有し、受信したデジタル放送信号［ＲＦ（radio frequency）入力］を３チャンネル同時にデコード処理し、そのＡＶ出力をセレクタ２３で選択出力する機能を有するとする。
【００４８】
この場合、図１０に示すように、現在視聴中のチャンネル（Ｃ）に対して、その次のチャンネル（Ｄ）と、１つ前のチャンネル（Ｂ）とを選局しておくことにより、隣接するチャンネルに切り替えられたときに、実際に隣接するチャンネルの番組が出画されるまでの出画時間を短縮することができる。これは、リモートコントローラのチャンネルアップダウンキーを操作してのチャンネル切り替えを想定している。
【００４９】
また、図１１に示すように、３系統のチューナ・復調部２０ａ〜２０ｃ、ＴＳデマルチプレクサ部２１ａ〜２１ｃを有し、ＴＳデマルチプレクサ部２１ａ〜２１ｃの出力をセレクタ２３で選択し、ＡＶデコーダ部２２でＡＶ出力を得る構成の場合は、チューナ部２０ａ〜２０ｃでの選局と、ＴＳデマルチプレクサ部２１ａ〜２１ｃでのＰＩＤ取得とを行なっておき、隣接するチャンネルに切り替えられたときに、そのＰＩＤの取得までの時間を短縮することができる。
【００５０】
さらに、前記したシステムＬＳＩ１１が、図９において、２系統のチューナ・復調部２０ａ，２０ｂ、ＴＳデマルチプレクサ部２１ａ，２１ｂ、ＡＶデコーダ部２２ａ，２２ｂを有し、受信したデジタル放送信号（ＲＦ入力）を２チャンネル同時にデコード処理し、そのＡＶ出力をセレクタ２３で選択出力する機能を有するとする。
【００５１】
この場合、図１２に示すように、現在視聴中のチャンネル（Ｃ）に対して、その次のチャンネル（Ｄ）または１つ前のチャンネル（Ｂ）を選局しておくことにより、選局している隣接チャンネルに切り替えられたときに、実際に隣接するチャンネルの番組が出画されるまでの出画時間を短縮することができる。
【００５２】
また、図１３に示すように、現在視聴中のチャンネル（Ｃ）以外のチャンネルを順次循環的に選局して、各選局したチャンネルで送られているＰＩＤを取得する。これにより、ユーザによって他のチャンネルに切り替えられたとき、コリ切り替えたチャンネルのＰＩＤが最後に取得した値から変化していなければ、ＰＩＤの取得までの時間を短縮することができる。
【００５３】
さらに、図１４及び図１５に示すように、１本のトランスポンダで複数（図示の場合は２つ）のチャンネルを伝送するシステムの場合には、現在視聴中のチャンネル（Ｃ及びＤ）を含むトランスポンダに隣接するトランスポンダを選局することで、現在視聴中のチャンネル（Ｃ及びＤ）の次のチャンネル及び１つ前のチャンネルを選局することができ、図１０に示した３チャンネル同時選局と同様の効果を得ることができる。
【００５４】
また、ネットワーク経由で各チャンネルのＰＩＤを取得しておくことにより、所定のチャンネルが選局されてからＰＩＤを取得するまでの時間を短縮することができる。これにより、１つのチューナでも、出画時間を短縮することが可能となる。さらに、待機時等において、１つのチューナで各チャンネルを巡回してＰＩＤを取得しておくことも可能である。
【００５５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５６】
【図１】この発明の実施の形態を示すもので、デジタル放送受信機の映像処理系の概略を説明するために示すブロック構成図。
【図２】同実施の形態におけるデジタル放送受信機の電源投入時と遮断時の動作を説明するために示すタイミング図。
【図３】同実施の形態におけるデジタル放送受信機の電源投入時の動作を説明するために示すフローチャート。
【図４】同実施の形態におけるデジタル放送受信機の電源遮断時の動作を説明するために示すフローチャート。
【図５】同実施の形態におけるデジタル放送受信機の不揮発性メモリのメモリマップを説明するために示す図。
【図６】同実施の形態におけるデジタル放送受信機の電源投入時の他の動作を説明するために示すタイミング図。
【図７】同実施の形態におけるデジタル放送受信機の不揮発性メモリのメモリマップの他の例を説明するために示す図。
【図８】同実施の形態におけるデジタル放送受信機の電源投入時の他の動作を説明するために示すフローチャート。
【図９】同実施の形態におけるデジタル放送受信機のチューナ部分の変形例を説明するために示すブロック構成図。
【図１０】同実施の形態におけるチューナ部分の他の選局動作を説明するために示す図。
【図１１】同実施の形態におけるチューナ部分の他の変形例を説明するために示すブロック構成図。
【図１２】同実施の形態におけるチューナ部分の他の選局動作を説明するために示す図。
【図１３】同実施の形態におけるチューナ部分の他の選局動作を説明するために示す図。
【図１４】同実施の形態におけるチューナ部分の他の選局動作を説明するために示す図。
【図１５】同実施の形態におけるチューナ部分の他の選局動作を説明するために示す図。
【符号の説明】
【００５７】
１１…システムＬＳＩ、１２…メインＭＰＵ、１３…パネル制御部、１４…表示パネル、１５…セレクタ、１６…制御マイクロコンピュータ、１７…ＲＯＭ、１８…ＲＡＭ、１９…不揮発性メモリ、２０ａ〜２０ｃ…チューナ・復調部、２１ａ〜２１ｃ…ＴＳデマルチプレクサ部、２２，２２ａ〜２２ｃ…ＡＶデコーダ部、２３…セレクタ。
【図１】
2007104083.tif 000003
【図２】
2007104083.tif 000004
【図３】
2007104083.tif 000005
【図４】
2007104083.tif 000006
【図５】
2007104083.tif 000007
【図６】
2007104083.tif 000008
【図７】
2007104083.tif 000009
【図８】
2007104083.tif 000010
【図９】
2007104083.tif 000011
【図１０】
2007104083.tif 000012
【図１１】
2007104083.tif 000013
【図１２】
2007104083.tif 000014
【図１３】
2007104083.tif 000015
【図１４】
2007104083.tif 000016
【図１５】
2007104083.tif 000017